(57)【特許請求の範囲】
【請求項１】
車両用シートをフロアに設置する際に、前記シートを位置決めする車両用シートの位置決め構造において、
前記フロアに取り付けられ、上面が逆Ｖ字型、または、Ｖ字型の傾斜面をなすガイド部材と、
後端が前記シートの前端中央部に前方に延出して取り付けられた延出部と、該延出部の前端から下方に屈曲し下面が前記ガイド部材の傾斜面を摺動する逆Ｖ字型、または、Ｖ字型の傾斜面をなす屈曲部とにより形成されて、前記延出部が前記フロアに載置された状態で前記屈曲部が前記フロアにボルト締めされて固定される位置決め部材とを備え、
前記ガイド部材の上面および前記位置決め部材の前記屈曲部の下面が傾斜方向および拡開角度同一の逆Ｖ字またはＶ字に形成され、前記ガイド部材の上面を前記屈曲部の下面が摺動することを特徴とする車両用シートの位置決め構造。
【発明の詳細な説明】
【技術分野】
【０００１】
本発明は、車両用シートをフロアに設置する際に、シートの位置決めする車両用シートの位置決め構造に関する。
【背景技術】
【０００２】
車両用リアシートをフロアに設置して取り付ける場合、スペアタイヤハウスの下面に沿って車両前後方向に延在し、前端がクロスメンバーに剛結合され、かつ、後端がバックパネルに接合された補強メンバーと、乗員室後部に配設されたリアシートの下部を車体側に取付けるために、スペアタイヤハウスの前方でリアフロアパネルの上面に接合されるフランジ部および取付け部を一体的に有するシートブラケット６とを備え、補強メンバーとして、スペアタイヤハウスの前方に車幅方向の拡張部を有し、シートブラケットのフランジ部として、リアフロアパネルを介して拡張部と三枚重ねで接合された第１接合点を含むように構成し、後方からの衝撃荷重に対する強度を向上することが提案されている（特許文献１）。
【先行技術文献】
【特許文献】
【０００３】
【特許文献１】特開２０１２−２４５８７８号公報（要約、段落００１０および図１参照）
【発明の概要】
【発明が解決しようとする課題】
【０００４】
ところで、上記したリアシートの取付構造により、リアシートがフロアに取り付けられるが、リアシートに限らず車両用シートは、車室部分に組み上がった状態で設置されるため、その際にシートを所定の位置に位置決めして固定する必要がある。このようなシートの位置決めは、従来、例えばシートフレームなどのシート部材に位置決めピンを設け、この種ピンが嵌挿する位置決め孔を車体の構造部材側に形成し、シート側の位置決めピンが車体側の位置決め孔に嵌るように、シートの位置合わせをしつつシートを設置し、ボルト等によりシートを車室フロア等に固定することが行われる。
【０００５】
しかし、上記した位置決めピンは、通常シートの下面側に設けられるため、シートを設置する際には位置決めピンを目視しにくく、重いシートを抱えつつ位置決めピンが嵌挿する位置決め孔の位置を探りながら設置作業をすることは、作業者にとって負担が大きく作業効率も悪いことから、もっと簡易に位置決めしてシートを設置できる手法が望まれている。
【０００６】
本発明は、簡単な構成で、シートの設置作業におけるシートの位置決めを容易に行えるようにすることを目的とする。
【課題を解決するための手段】
【０００７】
上記した目的を達成するために、本発明の車両用シートの位置決め構造は、車両用シートをフロアに設置する際に、前記シートを位置決めする車両用シートの位置決め構造において、前記フロアに取り付けられ、上面が逆Ｖ字型、または、Ｖ字型の傾斜面をなすガイド部材と、後端が前記シートの前端中央部に前方に延出して取り付けられた延出部と、該延出部の前端から下方に屈曲し下面が前記ガイド部材の傾斜面を摺動する逆Ｖ字型、または、Ｖ字型の傾斜面をなす屈曲部とにより形成されて、前記延出部が前記フロアに載置された状態で前記屈曲部が前記フロアにボルト締めされて固定される位置決め部材とを備え、前記ガイド部材の上面および前記位置決め部材の前記屈曲部の下面が傾斜方向および拡開角度同一の逆Ｖ字またはＶ字に形成され、前記ガイド部材の上面を前記屈曲部の下面が摺動することを特徴としている（請求項１）。
【発明の効果】
【０００８】
請求項１に係る発明によれば、ガイド部材の上面および位置決め部材の下面が、傾斜方向および拡開角度が同一の逆Ｖ字またはＶ字に形成され、ガイド部材の上面を位置決め部材の下面が摺動し得る構造であるため、シートの前端中央部に取り付けられた位置決め部材の下面の傾斜面を、フロアに取り付けられたガイド部材の上面の傾斜面に沿って摺動させることによってシート側の位置決め部材がフロア側のガイド部材に係合した状態になり、このように摺動構造の採用により、簡単な構成でシートを容易に位置決めすることができ、シートの設置作業における作業者の負担を軽減できて作業効率の向上を図ることができる。
【図面の簡単な説明】
【０００９】
【図１】本発明に係る車両用シートの位置決め構造の一実施形態の斜視図である。
【図２】図１の一部の斜視図である。
【図３】図２の一部の正面図である。
【図４】図３のｘ−ｘ線における断面図である。
【図５】図３の側面図である。
【発明を実施するための形態】
【００１０】
本発明に係る車両用シートの位置決め構造の一実施形態について、図１ないし図５を参照して詳細に説明する。なお、本実施形態でいう前後、上下、左右とはシートに着座した状態で見た前後、上下、左右を意味する。
【００１１】
図１に示すように、シート１はシートクッション１ａおよびシートバック１ｂからなり、シートクッション１ａには、フレーム材として、左、右端部に断面コ字状の前後方向のサイドフレーム２，２が設けられ、前ブラケット３ａ，３ａの上端が、シートクッション１ａの下面から下方に突出した状態で両サイドフレーム２，２の前端にそれぞれ取り付けられるとともに、後ブラケット３ｂの上端が、シートクッション１ａの下面から下方に突出した状態で右方のサイドフレーム２の後端に取り付けられ、左右方向の連結フレーム３ｃが、両前ブラケット３ａの前下端を連結するように両前ブラケット３ａ，３ａの下端部間に架け渡されている。このとき、連結フレーム３ｃはシートクッション１ａの下面から露出している。
【００１２】
そして、シートクッション１ａの下面から露出した連結フレーム３ｃの前側中央部に位置決め部材５が取り付けられており、この位置決め部材５は、図２に示すように、前方に延出した延出部５ａと、該延出部５ａの前端から斜め下方に屈曲した屈曲部５ｂとによりほぼＬ字状に構成されている。
【００１３】
このとき、延出部５ａの後端の複数箇所が連結フレーム３ｃに溶接されて位置決め部材５が連結フレーム３ｃに固着され、シート１の位置決め完了後に、屈曲部５ｂの２箇所に透設された透孔５ｂ１に前方からボルト５ｂ２が挿通されてフロアＦに螺着されることにより、位置決め部材５がフロアＦに載置された状態で固定されるようになっている。
【００１４】
また、図３ないし図５に示すように、屈曲部５ｂの下端部は前方にさらに屈曲され、この屈曲部分の下面５ｂ３は逆Ｖ字型を成す傾斜面に形成されて後述するガイド部材の上面の逆Ｖ字型を成す傾斜面に沿って摺動可能となっている。さらに、屈曲部５ｂの下面の後端には、図４に示すように斜めに傾斜した誘導面５ｂ４が形成され、シート１の位置決めの際、位置決め部材５の屈曲部５ｂの下面５ｂ３をガイド部材の上面に摺動させる際に、屈曲部５ｂ３の下面がガイド部材の上面を摺動できるように、誘導面５ｂ４がまずガイド部材を摺接して屈曲部５の下面５ｂ３をガイド部材の上面に円滑に誘導する構成となっている。
【００１５】
ところで、フロアＦの所定位置にはガイド部材８が固定して取り付けられ、このガイド部材８は、その上面８ａが位置決め部材５の逆Ｖ字型の下面５ｂ３が摺動可能な逆Ｖ字型の傾斜面に形成され、ガイド部材８の上面８ａおよび位置決め部材５の下面５ｂ３の逆Ｖ字が同地の傾斜方向で同じ拡開角度に形成されており、ガイド部材８の上面８ａに位置決め部材５の下面５ｂ３が係合することによって、シート１が設定された位置に位置決めされる。
【００１６】
このようなガイド部材８および位置決め部材５を設けたことにより、シート１を車両の車室内に設置する場合に、シート１側の位置決め部材５の誘導面５ｂ４がガイド部材８を摺接して屈曲部５の下面５ｂ３がガイド部材の上面に対峙するように誘導され、位置決め部材５の屈曲部５ｂの下面５ｂ３をガイド部材８の上面８ａに摺動させてガイド部材８の上面８ａの逆Ｖ字に位置決め部材５の下面５ｂ３の逆Ｖ字が係合することにより、シート１が設定された位置に位置決めされることになる。このとき、ガイド部材８および位置決め部材５を目視しながらシート１の設置作業を行うことができる。また、ガイド部材８の上面８ａおよび位置決め部材５の下面５ｂ３を逆Ｖ字型の頂点部分が位置決めの目標となるので、位置合わせ作業が非常に簡単になる。
【００１７】
したがって、上記した実施形態によれば、ガイド部材８の上面８ａおよび位置決め部材５の下面５ｂ３を傾斜方向が同一すなわち屈曲方向が同一の逆Ｖ字（拡開角度も同一）に形成し、ガイド部材８の上面８ａを位置決め部材５の下面５ｂ３が摺動する構成としたため、ガイド部材８の上面８ａの逆Ｖ字に位置決め部材５の下面５ｂ３の逆Ｖ字が係合した状態になり、簡単な構成でシート１を容易に位置決めすることができ、シート１の設置作業における作業者の負担を軽減することができ、シート１の設置作業効率の向上を図ることが可能になる。
【００１８】
このとき、ガイド部材８および位置決め部材５を目視しながらシート１の設置作業を行うことができ、しかもガイド部材８の上面８ａおよび位置決め部材５の下面５ｂ３を逆Ｖ字型の傾斜面に形成されているので、逆Ｖ字の頂点部分が位置決めの目標となって位置合わせ作業を非常に簡単に行うことができる。
【００１９】
なお、本発明は上記した実施形態に限定されるものではなく、その趣旨を逸脱しない限りにおいて上述したもの以外に種々の変更を行なうことが可能である。
【００２０】
例えば、上記した実施形態では、ガイド部材８の上面８ａおよび位置決め部材５の下面５ｂ３を逆Ｖ字型の傾斜面に形成した場合について説明したが、Ｖ字型に形成してもよい。
【００２１】
また、本発明のシートの位置決め構造は、車両の運転席、助手席をはじめ後部座席にも適用することが可能である。
【符号の説明】
【００２２】
１    …シート
５    …位置決め部材
５ｂ３  …下面（傾斜面）
８    …ガイド部材
８ａ  …上面（傾斜面）
Ｆ    …フロア
【図１】
0006497905.tif 000002
【図２】
0006497905.tif 000003
【図３】
0006497905.tif 000004
【図４】
0006497905.tif 000005
【図５】
0006497905.tif 000006